(57)【特許請求の範囲】
【請求項１】
レンチキュラーレンズを透して立体視を得る立体画像作成方法であって、
視差の異なるｎ枚の２次元画像の横幅をΔＤ、前記レンチキュラーレンズの単位幅をＷとした場合に、前記レンチキュラーレンズの単位幅Ｗに、幅ΔＤ／ｎの線状像を前記レンチキュラーレンズの投影角度を考慮してｎ枚圧縮変換して配置することで、線状像群から成る第１の画像データを予め形成して記憶しておき、
平面画像から成る第２の画像データを形成し、
前記第１の画像データの所望の前記線状像群の位置に前記第２の画像データを混在配置した合成画像をレンチキュラーレンズ下に配置される記録媒体に形成することを特徴とする立体画像作成方法。
【請求項２】
レンチキュラーレンズを透して立体視が得られる立体画像を作成するための立体画像作成装置であって、
視差の異なるｎ枚の２次元画像の横幅をΔＤ、前記レンチキュラーレンズの単位幅をＷとした場合に、前記レンチキュラーレンズの単位幅Ｗに、幅ΔＤ／ｎの線状像を前記レンチキュラーレンズの投影角度を考慮してｎ枚圧縮変換して配置することで、線状像群から成る第１の画像データを予め形成して記憶する手段と、
前記第１の画像データの所望の前記線状像群の位置に平面画像である第２の画像データを混在配置した合成画像を得る手段と、
前記合成画像を記録媒体に出力する手段と、を具備したことを特徴とする立体画像形成装置。
【発明の詳細な説明】
【０００１】
【発明の属する技術分野】
この発明は、レンチキュラーレンズを透して立体視を得る立体画像に係わり、特にコンピュータによる画像処理を利用した立体画像作成方法及び装置に関する。
【０００２】
【従来の技術】
レンチキュラーレンズを透して立体視を得る立体画像が知られている。例えば、立体写真を作成する場合、奥行きを有する３次元的な被写体に対して、一定距離づつ水平方向に位置の異なる観測点、あるいは被写体に対して弧状に一定角度づつ位置の異なる観測点から得られる視差の異なる複数の２次元像を、観測点に対応するように投影角度を変えて露光し、レンチキュラーレンズ下の感光材料に結像形成させる。レンチキュラーレンズ下に結像される画像は、レンチキュラーレンズを透過してときに圧縮された線状像である。
【０００３】
レンチキュラーレンズ下に結像された画像を、レンチキュラーレンズを透して鑑賞すると、上記線状像は再びレンチキュラーレンズを透して拡大復元される。復元された像を見ると、左右の目に入る一対の像は視差を有しており、これら像は合成されて立体視として認識される。
ところで、レンチキュラーレンズ下に形成る線状像を上述のようにレンチキュラーレンズを透過させて光学的に得る場合、各種の収差の影響により、線状像が不鮮明となり、このため最終立体画像がぼけてしまう。
【０００４】
レンチキュラーレンズ下に鮮明な線状像を形成する手段として、近年、コンピュータを利用したものが知られている。これは、収差の原因となる光学収差を排除するために、線状像をレンチキュラーレンズにより得るのではなく、コンピュータによる画像処理により得、この線状像を直接レンチキュラーレンズ下に配置される記録媒体に形成するものである（特開平６−３０９４３１号公報参照）。
【０００５】
【発明が解決しようとする課題】
上述のようにコンピュータを用いることにより、収差のない鮮明な線状像を得ることができる。しかし、コンピュータ画像処理により線状像を得る場合は、視差の異なる複数の画像データを得、これら画像データを圧縮処理により線状像に変換しているため膨大なデータの画像処理を実行することとなり、処理に時間がかかるという問題がある。さらに、視差の異なる画像は、立体撮影等により得られるものであり、現在市場に出回っている多くの通常平面画像を利用することができないという問題もある。
【０００６】
そこで、この発明は、上記事情に鑑みてなされたもので、コンピュータを用にた画像処理により線状像を得る場合に処理データ量を減らすとともに、通常の画像を利用して立体画像を形成することができる立体画像作成方法及び装置を提供することを目的とする。
【０００７】
【課題を解決するための手段】
この発明に係わる立体画像形成方法は、レンチキュラーレンズを透して立体視を得る立体画像作成方法であって、視差の異なるｎ枚の２次元画像の横幅をΔＤ、前記レンチキュラーレンズの単位幅をＷとした場合に、前記レンチキュラーレンズの単位幅Ｗに、幅ΔＤ／ｎの線状像を前記レンチキュラーレンズの投影角度を考慮してｎ枚圧縮変換して配置することで、線状像群から成る第１の画像データを予め形成して記憶しておき、平面画像から成る第２の画像データを形成し、前記第１の画像データの所望の前記線状像群の位置に前記第２の画像データを混在配置した合成画像をレンチキュラーレンズ下に配置される記録媒体に形成するものである。
【０００８】
また、この発明に係わる画像形成装置は、レンチキュラーレンズを透して立体視が得られる立体画像を作成するための立体画像作成装置であって、視差の異なるｎ枚の２次元画像の横幅をΔＤ、前記レンチキュラーレンズの単位幅をＷとした場合に、前記レンチキュラーレンズの単位幅Ｗに、幅ΔＤ／ｎの線状像を前記レンチキュラーレンズの投影角度を考慮してｎ枚圧縮変換して配置することで、線状像群から成る第１の画像データを予め形成して記憶する手段と、前記第１の画像データの所望の前記線状像群の位置に平面画像である第２の画像データを混在配置した合成画像を得る手段と、前記合成画像を記録媒体に出力する手段と、を具備したものである。
【０００９】
この発明に係わる立体画像形成方法によれば、立体画像を認識するための線状像から成る第１の画像と通常平面画像から成る第２の画像とを混在させて記録媒体に形成し、これにより疑似的に立体画像が認識される。このように、記録媒体全体に立体画像を認識するための線状像を形成する必要なく、記録媒体の一部は通常平面画像を形成することにより疑似的に立体画像を形成しているから、立体効果が容易に得られる。また、通常撮影により得られた写真画像及び文字画像を第２の画像としてそのまま利用することができるから、合成立体画像が容易にかつ効率良く形成される。
【００１０】
また、この発明に係わる立体画像形成装置によれば、立体画像を認識するための線状像から成る第１の画像と通常平面画像から成る第２の画像とを混在させて記録媒体に形成し、これにより疑似的に立体画像が認識される。第１の画像を形成する線状像は、立体画像を認識するためのものであるから、視差のある複数の画像を圧縮処理し、その後、レンチキュラーレンズの投影角度分ずらした状態で記録媒体に形成されている。しかし、第２の画像を形成する通常平面画像は、そのままの状態で記録媒体に形成されているから、線状像を形成するための圧縮処理、及びレンチキュラーレンズの投影角度を得る演算等が不要である。このため、画像処理の負担を軽減することができる。
【００１１】
この発明において、レンチキュラーレンズ下に配置される記録媒体は、感光材料、各種記録紙が挙げられる。
【００１２】
【発明の実施の形態】
以下、この発明の実施の形態を図面を参照して説明する。
図１はこの発明により得られる立体画像を示している。すなわち、画像１０１は線状像から成り、立体撮影に依り得られた視差の異なる複数の画像を圧縮変換したものである。画像１０３は、所謂通常平面画像であり、立体撮影に依らすに得られる。
【００１３】
図１に示されるように、線状像と通常平面画像とが組み合わせ配置された像をレンチキュラーレンズを透してみると、画像１０１を見たときは視差の異なる複数の線状像が合成されることにより立体画像として認識され、画像１０３を見たときは、視差のない通常平面画像であるから平面画像として認識される。ところが、画像全体を見たときは、立体画像に中に平面画像が混在し、この場合、あたかも全体が立体画像であるかのように疑似立体画像として認識される。
【００１４】
上述のように、通常平面画像を一部に配置して疑似立体画像を認識することにより、特に、合成立体画像を形成する際に、その一部に通常平面画像を利用することができるから、効率良く立体合成画像を形成することができる。
【００１５】
以下、上記疑似立体画像を作成する工程について説明する。
先ず、立体撮影により視差の異なるｎ枚のデジタル２次元画像データを得る。そして、線状像を形成するために、この２次元画像はレンチキュラーレンズの水平方向に圧縮される。ここで、画像の横幅をΔＤとすると、線状像の横幅はΔＤ／ｎとして定義される。レンチキュラーレンズの単位巾をＷとすると、単位巾Ｗに、幅ΔＤ／ｎの線状像がｎ枚形成される。これを各レンチキュラーレンズ毎に順次繰り返すことにより、画像１０１を形成するための線状像群が形成される。
【００１６】
なお、記録媒体に配置される線状像は、レンチキュラーレンズを透して見るため、レンチキュラーレンズの投影角度θが考慮されねばならない。従って、線状像を配置する際には、線状像をｔａｎθ分だけ位置をずらして配置される。
【００１７】
次に、通常撮影により写真画像等の通常平面画像を得る。この平面画像は、線状画に分割されることなく、そのまま記録媒体の所望の位置に形成され、これは画像１０３を形成する。
通常平面画像は、通常撮影により得られた写真画像の他、絵画像、任意に作成された文字画像及びコンピュータグラフィック等が利用できる。
【００１８】
その後、線状像と平面画像とを合成した後、合成画像をレンチキュラーレンズ下に配置される記録媒体に形成する。
【００１９】
以下、図２を参照してこの発明に係わる立体画像形成装置について説明する。立体撮影により得られる視差のある複数の２次元像のデジタル画像データは、圧縮装置２０１でレンチキューラレンズに平行な方向に圧縮されて線状像のデータに変換されて画像処理装置２０３に入力される。
画像処理装置２０３は、線状像のデータと、通常撮影により得られた通常平面画像のデジタル画像データとに基づいて、線状像と通常平面画像とが混在配置された合成画像を形成する。画像処理装置２０３で混在処理された線状像及び通常平面画像は、モニタ２０５に写し出される。オペレータは、モニタ２０５を監視しながらキーボード等の操作により所望の位置に通常平面画像が配置されるように混在処理を実行する。
【００２０】
画像処理装置２０３で得られる立体画像と通常平面画像との合成画像のデータは、合成画像出力装置２０７に入力される。合成画像出力装置２０７は、走査により記録媒体に立体画像と通常平面画像との合成画像を形成するためのものである。合成画像を形成する際、画像の輪郭を精細に再現することは、鮮明な立体画像を得るうえで重要である。そこで、合成画像出力装置としては、レーザ記録が好ましい。
【００２１】
なお、記録媒体に形成される線状像を、予め線状像データとして記憶しておき、必要に応じて画像処理装置に取り込むようにしても良い。これにより、立体撮影、デジタル圧縮処理、ずらし配置するための演算等の工程を省略することができるから迅速に線状像を記録媒体に形成することができる。さらに、複数種類の線状像データを記憶しておき、所望線状像データを選択するようにしても良い。
【００２２】
【発明の効果】
以上説明したようにこの発明に係わる立体画像形成方法及び装置によれば、視差の異なる複数の線状像をコンピュータにより画像処理により形成してレンチキュラーレンズ下に配置された記録媒体に形成する場合、一部の領域に通常撮影で得られた通常平面画像を配置することにより、画像処理量を大幅に減らすことができる。
【００２３】
また、通常平面画像を利用することができるため、立体画像作成の手間を簡略化することができる。
【図面の簡単な説明】
【図１】この発明に係わる立体画像形成方法を示す図。
【図２】この発明に係わる立体画像形成装置を示す図。
【符号の説明】
１０１  第１の画像
１０３  第２の画像
２０１  圧縮装置
２０３  画像処理装置
２０５  モニタ
２０７  合成画像出力装置
【図１】
0003897377.tif 000002
【図２】
0003897377.tif 000003